(57)【要約】【課題】必要な画像データが削除されるのを抑制することができる画像表示システムを提供する。【解決手段】  画像表示システム１は、ＰＣ１００、ネットワークサーバ１０１、及びプロジェクタ装置を含み、それがネットワーク１２０に接続されている。ＰＣ１００は、画像データと該画像データの保存期限が含まれる画像情報データをプロジェクタ装置に送出するとともに、該画像情報データをネットワークサーバ１０１に送出する。ユーザは、画像データの保存期限を変更したいときは、ネットワークサーバ１０１に保存されている画像情報データを変更する。プロジェクタ装置は、所定のタイミングで、自身に保存されている画像情報データを、ネットワークサーバ１０１に保存されている画像情報データに基づいてアップデートする。【選択図】図１
2017063329.tif 000002
【特許請求の範囲】
【請求項１】
ネットワークに接続されているサーバと画像表示装置とを含む画像表示システムであって、
前記画像表示装置は、該画像表示装置で表示される画像データ、及び該画像データに関する情報データを保存するメモリを有し、
前記サーバは、前記ネットワークを介して受信した前記画像データに関する情報データを保存し、
前記画像表示装置は、所定のタイミングで、前記メモリに保存されている前記画像データに関する情報データを、前記サーバに保存されている前記画像データに関する情報データに基づいてアップデートする画像表示システム。
【請求項２】
前記情報データは、画像データの保存期限を含み、
前記画像表示装置は、前記画像データの保存期限が過ぎると、該画像データを削除することを特徴とする請求項１に記載の画像表示システム。
【請求項３】
前記サーバに保存されている前記情報データは、ユーザによって書き換え可能であることを特徴とする請求項１又は２に記載の画像表示システム。
【請求項４】
前記サーバは、前記画像表示装置が起動されていないと、前記画像表示装置で表示される画像データ、及び該画像データに関する情報データを保存し、前記画像表示装置が起動されると、前記画像データ及び前記情報データを前記画像表示装置に送ることを特徴とする請求項１〜３のいずれか一項に記載の画像表示システム。
【請求項５】
前記画像表示装置で表示させる画像データが保存されている情報処理装置が前記ネットワークに接続されており、
前記画像データに関する情報データは、前記情報処理装置で作成されることを特徴とする請求項１〜４のいずれか一項に記載の画像表示システム。
【請求項６】
前記情報処理装置は、前記画像表示装置で表示させる画像データと、該画像データに関する情報データを前記画像表示装置に送るとともに、前記情報データを前記サーバに送ることを特徴とする請求項５に記載の画像表示システム。
【請求項７】
前記情報処理装置は、前記画像表示装置が起動されていないと、前記画像データと前記情報データを前記サーバに送ることを特徴とする請求項６に記載の画像表示システム。
【請求項８】
ユーザは、前記サーバに保存されている前記情報データを、前記情報処理装置によって書き換え可能であることを特徴とする請求項５〜７のいずれか一項に記載の画像表示システム。
【発明の詳細な説明】
【技術分野】
【０００１】
本発明は、画像表示システムに係り、更に詳しくは、ネットワークに接続されているサーバと画像表示装置とを含む画像表示システムに関する。
【背景技術】
【０００２】
一般にプロジェクタ装置は、パーソナルコンピュータ（以下、「ＰＣ」ともいう）等の画像処理装置とケーブルを介して接続された状態で用いられてきた。プロジェクタ装置は、特に会議等で利用されることが多いが、従来のプロジェクタ装置を利用するためには、プロジェクタ本体とは別にＰＣが必要であり、煩雑であった。
【０００３】
そこで、プロジェクタ装置にネットワークインターフェースを搭載し、ネットワークを介して画像データを取得させることが考案された。
【０００４】
例えば、特許文献１には、計算機と記憶装置を有する画像表示装置とがネットワークを介して接続されている画像表示システムが開示されている。
【発明の概要】
【発明が解決しようとする課題】
【０００５】
ところで、画像データを保存するためのメモリを有している画像表示装置では、該メモリの容量が有限であるため、保存可能な画像データの数に制限がある。すなわち、メモリの空き容量が少なくなると、新たな画像データを保存することができなくなる。そこで、メモリの空き容量を確保するため、保存されている画像データを一定時間経過後に削除することや、画像データに保存期限を設定することが考えられている。
【０００６】
しかしながら、従来の画像表示装置では、画像データの保存期限を変更するためには、必ず画像表示装置を起動させなければならず、保存期限の変更が間に合わず、必要な画像データが削除されてしまうおそれがあった。
【課題を解決するための手段】
【０００７】
本発明は、ネットワークに接続されているサーバと画像表示装置とを含む画像表示システムであって、前記画像表示装置は、該画像表示装置で表示される画像データ、及び該画像データに関する情報データを保存するメモリを有し、前記サーバは、前記ネットワークを介して受信した前記画像データに関する情報データを保存し、前記画像表示装置は、所定のタイミングで、前記メモリに保存されている前記画像データに関する情報データを、前記サーバに保存されている前記画像データに関する情報データに基づいてアップデートする画像表示システムである。
【発明の効果】
【０００８】
本発明の画像表示システムによれば、必要な画像データが削除されるのを抑制することができる。
【図面の簡単な説明】
【０００９】
【図１】一実施形態に係る画像表示システムの概略構成図である。
【図２】プロジェクタ装置の構成を説明するための図である。
【図３】アプリケーションソフトの表示画面を説明するための図（その１）である。
【図４】アプリケーションソフトの表示画面を説明するための図（その２）である。
【図５】アプリケーションソフトでの処理を説明するための図である。
【図６】アップデート処理を説明するためのフローチャートである。
【図７】画像データ削除処理を説明するためのフローチャートである。
【発明を実施するための形態】
【００１０】
以下、本発明の一実施形態を図１〜図７に基づいて説明する。図１には、一実施形態に係る画像表示システム１の概略構成が示されている。
【００１１】
この画像表示システム１は、ＰＣ１００、ネットワークサーバ１０１、及びプロジェクタ装置を含み、それがネットワーク１２０に接続されている。ここでは、便宜上、３つのプロジェクタ装置（１１０ａ，１１０ｂ，１１０ｃ）がネットワーク１２０に接続されている場合について説明する。そして、プロジェクタ装置１１０ａは、居室に設置され、プロジェクタ装置１１０ｂは、会議室に設置され、プロジェクタ装置１１０ｃは、応接室に設置されているものとする。なお、ネットワーク１２０に接続されているプロジェクタ装置は、３つのプロジェクタ装置に限定されるものではなく、１つ又は２つあるいは４つ以上のプロジェクタ装置であっても良い。
【００１２】
ネットワーク１２０は、ＬＡＮ（Ｌｏｃａｌ  Ａｒｅａ  Ｎｅｔｗｏｒｋ）でも良いし、インターネットのような公衆ネットワーク網でも良い。また、ネットワーク１２０は、有線のネットワークでも良いし、無線のネットワークでも良いし、有線と無線が混在したネットワークでも良い。
【００１３】
ＰＣ１００には、複数の画像データが保管されている。ユーザは、ＰＣ１００に保管されている複数の画像データのなかから所望の画像データを、ネットワーク１２０を介して所望のプロジェクタ装置に送ることができる。
【００１４】
なお、以下の説明では、３つのプロジェクタ装置は、それぞれ同じ構成及び機能を有しているため、３つのプロジェクタ装置のうちの任意のプロジェクタ装置を示す場合、単に「プロジェクタ装置１１０」と記述する。
【００１５】
プロジェクタ装置１１０は、一例としてＤＬＰ方式のプロジェクタ装置であり、図２に示されるように、光学エンジン１０、コントローラ基板２０、操作パネル３０、リモコン受光部３１、ランプユニット４０、システム用電源（ＰＳＵ）５０、及びランプ用電源５１などを備えている。なお、プロジェクタ装置１１０は、液晶方式やＬＣＯＳ方式などの他方式のプロジェクタ装置であっても良い。
【００１６】
光学エンジン１０は、光学フィルタ１１、マイクロミラーデバイス１２、及びレンズ１３を有している。
【００１７】
光学フィルタ１１は、いわゆるカラーホイールであり、ランプユニット４０から射出された光を単色光ＲＧＢ（Ｒｅｄ／Ｇｒｅｅｎ／Ｂｌｕｅ）に時分割する。マイクロミラーデバイス１２は、光学フィルタ１１からの時分割単色光を受光し、各色の画像を時分割で生成する。レンズ１３は、マイクロミラーデバイス１２からの画像を所望のサイズに拡大する。レンズ１３から射出された画像は、スクリーンに投射される。
【００１８】
コントローラ基板２０は、ＭＰＵ（マイクロ・プロセッシング・ユニット）２１、システムメモリ２２、光学フィルタ制御部２３、ＮＩＣ２４、外部入出力信号制御部２５、ＲＴＣ（Ｒｅａｌ  Ｔｉｍｅ  Ｃｌｏｃｋ）２６、及び記憶装置２７などを有している。
【００１９】
システムメモリ２２には、ＭＣＵ２１によって実行される各種プログラムや、該各種プログラムが実行される際に用いられる各種設定情報が保存されている。光学フィルタ制御部２３は、光学フィルタ１１とマイクロミラーデバイス１２の同期制御を行う。ＲＴＣ２６は、カレンダー機能を持つリアルタイムクロックである。
【００２０】
記憶装置２７は、画像データ及び該画像に関する情報が含まれるデータ（以下では、便宜上、「画像情報データ」と略述する）を保存するためのメモリである。記憶装置２７として、フラッシュＲＯＭのような不揮発メモリでも良いし、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）であっても良い。なお、ＨＤＤやＳＳＤを用いる場合は、コントローラ基板２０の外に設けられる。更に、記憶装置２７は、システムメモリ２２と一体化されていても良い。
【００２１】
ＮＩＣ２４は、ネットワーク１２０を介した通信を制御する。外部入出力信号制御部２５は、ビデオカメラなどの外部映像機器４との通信を制御する。
【００２２】
ＭＣＵ２１は、ＮＩＣ２４や外部入出力信号制御部２５を介して入力された画像データに対して、拡大／縮小、形状変更、画像合成などの画像処理を施す。ここで画像処理が施された画像データは、マイクロミラーデバイス１２に送られる。
【００２３】
ここで、画像データをＰＣ１００からプロジェクタ装置１１０に送る処理について説明する。なお、ここでは、一例として、ＰＣ１００に保存されている複数の画像データのうちの１つであるファイル２をプロジェクタ装置１１０ａに送る場合について説明する。
【００２４】
また、ＰＣ１００には、画像データを送るためのアプリケーションソフト（以下では、「アプリケーションソフト２００」という）がインストールされている。
【００２５】
先ず、アプリケーションソフト２００に対するユーザの動作について説明する。
【００２６】
ユーザは、ＰＣ１００において、アプリケーションソフト２００を起動させる。これにより、一例として図３に示されるように、事前に登録されているプロジェクタ装置が一覧表示される送信先リストウィンドウ２１０と、複数の画像データが一覧表示されるファイルリストウィンドウ２１１と、指定された画像データの保存期限を設定する保存期限設定ウィンドウ２１２と、送信ボタン２１３と、が含まれる画面が、ＰＣ１００のディスプレイに表示される。
【００２７】
なお、送信先リストウィンドウ２１０では、登録されているプロジェクタ装置が一目で視認できるようになっている。ここでは、プロジェクタ装置（居室）と、プロジェクタ装置（会議室）と、プロジェクタ装置（応接室）とが、送信先リストウィンドウ２１０に表示されている。
【００２８】
なお、登録されているプロジェクタ装置のうち、稼働中のプロジェクタ装置には下線が引かれている。ここでは、一例として、プロジェクタ装置（居室）とプロジェクタ装置（会議室）とが稼働中であり、それらに下線が引かれている。
【００２９】
そして、ユーザは、送信先リストウィンドウ２１０の中から送信先として「プロジェクタ装置（居室）」を選択する。これにより、プロジェクタ装置（居室）の先頭にある「○」が「●」に変化する（図４参照）。
【００３０】
次に、ユーザは、ファイルリストウィンドウ２１１の中から送信対象の画像データとしてフォルダ１に格納されている「ファイル２」を指定する。これにより、ファイル２は、網掛け表示に変化する（図４参照）。
【００３１】
次に、ユーザは、保存期限設定ウィンドウ２１２にファイル２の保存期限を入力する。ここでは、一例としてファイル２の保存期限を「２０１５年９月３０日」とする（図４参照）。
【００３２】
そして、ユーザは、「送信」ボタンを押下する。
【００３３】
次に、アプリケーションソフト２００での処理について図５を用いて説明する。
【００３４】
最初のステップＳ４０１では、「送信」ボタンが押下されているか否かを判断する。「送信」ボタンが押下されていると、ここでの判断は肯定されステップＳ４０３に移行する。
【００３５】
次のステップＳ４０３では、送信先のプロジェクタ装置が選択済みであるか否かを判断する。送信先のプロジェクタ装置が選択済みであると、ここでの判断は肯定されステップＳ４０５に移行する。
【００３６】
次のステップＳ４０５では、送信対象の画像データが指定済みであるか否かを判断する。送信対象の画像データが指定済みであれば、ここでの判断は肯定されステップＳ４０７に移行する。
【００３７】
次のステップＳ４０７では、保存期限が設定済みであるか否かを判断する。保存期限が設定済みであれば、ここでの判断は肯定されステップＳ４０９に移行する。
【００３８】
なお、上記ステップＳ４０３、ステップＳ４０５、及びステップＳ４０７での判断が否定されると、「送信」ボタンが押下されたことは無効とされ、上記ステップＳ４０１に戻る。
【００３９】
次のステップＳ４０９では、ファイルリストウィンドウ２１１で指定された画像データのファイル名（ここでは、ファイル２）、保存日時（ここでは、２０１５年９月１日１０時１８分）、及び設定された保存期限（ここでは、２０１５年９月３０日）の情報が含まれる画像情報データを作成する。
【００４０】
次のステップＳ４１１では、選択されたプロジェクタ装置（ここでは、プロジェクタ装置１１０ａ）が稼働中であるか否かを判断する。選択されたプロジェクタ装置が稼働中であれば、ここでの判断は肯定され、ステップＳ４１３に移行する。
【００４１】
このステップＳ４１３では、ファイルリストウィンドウ２１１で指定された画像データと、ステップＳ４０９で作成された画像情報データを選択されたプロジェクタ装置（ここでは、プロジェクタ装置１１０ａ）に送出する。
【００４２】
これにより、プロジェクタ装置１１０ａでは、ＮＩＣ２４を介して画像データと画像情報データを受信し、ＭＣＵ２１がそれらを記憶装置２７に保存する。
【００４３】
次のステップＳ４１５では、ステップＳ４０９で作成された画像情報データをネットワークサーバ１０１に送出する。そして、処理を終了し、待機状態に戻る。
【００４４】
これにより、ネットワークサーバ１０１は、受信した画像情報データを保存する。ネットワークサーバ１０１では、画像情報データを保存するための保存領域がプロジェクタ装置毎に設けられており、ここで受信された画像情報データは、プロジェクタ装置１１０ａ用の保存領域に保存される。
【００４５】
なお、上記ステップＳ４１１において、選択されたプロジェクタ装置が稼働中でなければ、ステップＳ４１１での判断は否定され、ステップＳ４１７に移行する。
【００４６】
次のステップＳ４１７では、ファイルリストウィンドウ２１１で指定された画像データと、ステップＳ４０９で作成された画像情報データをネットワークサーバ１０１に送出する。そして、処理を終了し、待機状態に戻る。
【００４７】
すなわち、選択されたプロジェクタ装置が起動されていない場合は、ＰＣ１００から該プロジェクタ装置への画像データと画像情報データの送出は行われない。
【００４８】
この場合、ネットワークサーバ１０１は、受信した画像データと画像情報データをプロジェクタ装置１１０ａ用の保存領域に保存する。そして、該画像データと画像情報データは、プロジェクタ装置１１０ａが起動されたときに、ネットワークサーバ１０１からプロジェクタ装置１１０ａに送出される。
【００４９】
次に、ＰＣ１００を用いて、ネットワークサーバ１０１に保存されている画像情報データに含まれる保存期限を変更する処理（以下では、「保存期限変更処理」ともいう）について説明する。なお、ＰＣ１００には、ネットワークサーバ１０１に保存されている画像情報データに含まれる保存期限を変更するためのアプリケーションソフト（以下では、「アプリケーションソフト３００」ともいう）がインストールされている。
【００５０】
ユーザは、アプリケーションソフト３００を起動させ、変更したい画像情報データを指定する。
【００５１】
アプリケーションソフト３００は、指定された画像情報データをネットワークサーバ１０１から読み出し、ＰＣ１００のディスプレイに表示させる。
【００５２】
ユーザは、ディスプレイに表示されている保存期限を変更し、「送信」ボタンを押下する。
【００５３】
アプリケーションソフト３００は、保存期限が変更された画像情報データをネットワークサーバ１０１に送出する。
【００５４】
ネットワークサーバ１０１は、すでに保存されている画像情報データを新たに受け取った画像情報データと差し替える。
【００５５】
なお、ユーザは、ＰＣ１００とは異なる情報処理装置（例えば、ノートＰＣやタブレットＰＣ等）であって、アプリケーションソフト３００がインストールされている情報処理装置をネットワーク１２０に接続し、該情報処理装置を用いて、ネットワークサーバ１０１に保存されている画像情報データに含まれる保存期限を変更しても良い。これにより、ユーザは、場所や時間に制限されることなく、画像情報データに含まれる保存期限を変更することができる。
【００５６】
次に、プロジェクタ装置１１０において、記憶装置２７に保存されている画像情報データをアップデートする処理（以下では、「アップデート処理」ともいう）について図６を用いて説明する。図６のフローチャートは、アップデート処理の際に、ＭＰＵ２１によって実行される一連の処理アルゴリズムに対応している。
【００５７】
このアップデート処理は、プロジェクタ装置１１０の起動時や、予め設定されている日付や時間や曜日に達した時に起動される。
【００５８】
ここでは、一例として、プロジェクタ装置１１０ａにおけるアップデート処理について説明する。
【００５９】
最初のステップＳ５０１では、ネットワークサーバ１０１にアクセスする。
【００６０】
次のステップＳ５０３では、ネットワークサーバ１０１における複数の保存領域のうち、プロジェクタ装置１１０ａ用の保存領域に保存されている画像情報データを取得する。
【００６１】
次のステップＳ５０５では、取得した画像情報データに基づいて、記憶装置２７に保存されている画像情報データをアップデートする。そして、アップデート処理を終了する。
【００６２】
次に、プロジェクタ装置１１０において、記憶装置２７に保存されている画像データを削除する処理（画像データ削除処理）について図７を用いて説明する。図７のフローチャートは、画像データ削除処理の際に、ＭＰＵ２１によって実行される一連の処理アルゴリズムに対応している。なお、画像データ削除処理は、メイン処理で行われる複数の処理の一つであり、所定のタイミング毎に起動される。
【００６３】
ここでは、一例として、プロジェクタ装置１１０ａで行われる画像データ削除処理について説明する。なお、記憶装置２７にはＮ個の画像データ及び画像情報データが保存されているものとする。
【００６４】
最初のステップＳ６０１では、画像データ及び画像情報データを特定するためのカウンタｎに初期値１をセットする。
【００６５】
次のステップＳ６０３では、ＲＴＣ２６が管理する現在の日時を取得する。
【００６６】
次のステップＳ６０５では、記憶装置２７からｎ番目の画像情報データを取得する。
【００６７】
次のステップＳ６０７では、取得された画像情報データに含まれている保存期限を抽出する。
【００６８】
次のステップＳ６０９では、抽出された保存期限と現在の日時とを比較し、保存期限が過ぎているか否かを判断する。保存期限が過ぎていれば、ここでの判断は肯定され、ステップＳ６１１に移行する。
【００６９】
このステップＳ６１１では、ｎ番目の画像データ及び画像情報データを記憶装置２７から削除する。
【００７０】
次のステップＳ６１３では、カウンタｎの値がＮ以上であるか否かを判断する。カウンタｎの値がＮ未満であれば、ここでの判断は否定され、ステップＳ６１５に移行する。
【００７１】
このステップＳ６１５では、カウンタｎの値を＋１（インクリメント）し、上記ステップＳ６０５に戻る。
【００７２】
なお、上記ステップＳ６０９において、保存期限が過ぎていなければ、ステップＳ６０９での判断は否定され、ステップＳ６１３に移行する。すなわち、ｎ番目の画像データは削除されない。
【００７３】
また、上記ステップＳ６１３において、カウンタｎの値がＮ以上であれば、ステップＳ６１３での判断は肯定され、画像データ削除処理を終了する。
【００７４】
ところで、画像データ削除処理において画像データを削除したとき、その旨をネットワークサーバ１０１に通知するようにしても良い。これにより、ネットワークサーバ１０１は、プロジェクタ装置１１０で削除された画像データに対応する画像情報データを削除する。
【００７５】
以上説明したように、本実施形態に係る画像表示システム１は、ＰＣ１００、ネットワークサーバ１０１、及びプロジェクタ装置を含み、それがネットワーク１２０に接続されている。
【００７６】
ＰＣ１００は、プロジェクタ装置が稼働していると、画像データと該画像データの保存期限が含まれる画像情報データをプロジェクタ装置に送出するとともに、該画像情報データをネットワークサーバ１０１に送出する。また、ＰＣ１００は、プロジェクタ装置が稼働していないと、画像データと画像情報データをネットワークサーバ１０１に送出する。この場合、ネットワークサーバ１０１は、プロジェクタ装置が起動されると、画像データと画像情報データをプロジェクタ装置に送出する。
【００７７】
ユーザは、画像データの保存期限を変更したいときは、ネットワークサーバ１０１に保存されている画像情報データを変更する。
【００７８】
プロジェクタ装置は、所定のタイミングで、自身に保存されている画像情報データを、ネットワークサーバ１０１に保存されている画像情報データに基づいてアップデートする。
【００７９】
この場合は、ユーザは、プロジェクタ装置が容易に操作できない状況であったり、プロジェクタ装置がオフ状態や待機状態であったとしても、いつでも、短時間で、手軽に画像情報データに含まれる保存期限を変更することができる。そして、その変更内容を確実にプロジェクタ装置に反映させることができる。すなわち、本実施形態に係る画像表示システム１によれば、必要な画像データが削除されるのを抑制することができる。
【００８０】
なお、上記実施形態では、プロジェクタ装置において、画像データ及び画像情報データが記憶装置２７に保存される場合について説明したが、これに限定されるものではなく、画像データ及び画像情報データの少なくとも一方がシステムメモリ２２に保存されても良い。
【符号の説明】
【００８１】
１…画像表示システム、４…外部映像機器、１０…光学エンジン、１１…光学フィルタ、１２…マイクロミラーデバイス、１３…レンズ、２０…コントローラ基板、２１…ＭＰＵ、２２…システムメモリ、２３…光学フィルタ制御部、２４…ＮＩＣ、２５…外部入出力信号制御部、２６…ＲＴＣ、２７…記憶装置、３０…操作パネル、３１…リモコン受光部、４０…ランプユニット、５０…システム用電源、５１…ランプ用電源、１００…ＰＣ（情報処理装置）、１０１…ネットワークサーバ（サーバ）、１１０…プロジェクタ装置（画像表示装置）、１１０ａ…プロジェクタ装置（画像表示装置）、１１０ｂ…プロジェクタ装置（画像表示装置）、１１０ｃ…プロジェクタ装置（画像表示装置）、１２０…ネットワーク。
【先行技術文献】
【特許文献】
【００８２】
【特許文献１】特許第４９８３９８８号公報
【図１】
2017063329.tif 000003
【図２】
2017063329.tif 000004
【図３】
2017063329.tif 000005
【図４】
2017063329.tif 000006
【図５】
2017063329.tif 000007
【図６】
2017063329.tif 000008
【図７】
2017063329.tif 000009